(57)【特許請求の範囲】
【請求項１】
文字前景色及び文字背景色の情報又は前記文字前景色及び仮想背景色の情報を入力情報として、前記文字背景色の透明度が既定しきい値よりも高い場合は仮想背景色の情報に基づいて描画色の計算を行い、前記文字背景色の透明度が前記既定しきい値よりも低い場合は前記文字背景色の情報に基づいて各階調値に対応した描画色を計算し、計算した描画色によって階調フォントデータを描画する階調フォント描画方法。
【請求項２】
文字前景色及び文字背景色の情報又は前記文字前景色及び仮想背景色の情報を入力情報として、前記文字背景色の透明度が既定しきい値よりも高い場合は仮想背景色の情報に基づいて描画色の計算を行い、前記文字背景色の透明度が前記既定しきい値よりも低い場合は前記文字背景色の情報に基づいて各階調値に対応した描画色を計算する文字中間色計算手段と、
階調フォントデータを前記文字中間色計算手段で計算された描画色で描画する描画手段と、
を備えた階調フォント描画装置。
【発明の詳細な説明】
【０００１】
【発明の属する技術分野】
この発明は、家庭用テレビ等の表示装置に階調文字を表示する際の階調フォント描画方法及び階調フォント描画装置に関する。
【０００２】
【従来の技術】
図７は、例えば家庭用テレビのようなインタレース方法の放送受信機における表示装置に文字を表示する従来の階調フォント描画装置の構成図であり、図において、２０は階調フォント描画部、２１は電子番組表や操作メニューのような受信機内蔵のグラフィックアプリケーション、２２はグラフィックアプリケーション２１から入力される入力情報、２３はフォントデータ取得手段、２４は階調フォント描画部２０から出力される複数の画像プレーン（画像面）、２５は入力されるビデオ信号を復号するビデオ復号手段、２０１は階調フォント描画部２０内の文字中間色計算手段、２０２は文字中間色計算手段２０１から出力される描画色情報、２０３は階調フォント描画部２０内の描画手段、２２１は入力情報２２のうち文字中間色計算手段２０１に入力される文字前景色（文字の色）情報（Ｆｇ）、２２２は入力情報２２のうち文字中間色計算手段２０１に入力される文字背景色（文字の背景の色）情報（Ｂｇ）、２２３は入力情報２２のうちフォントデータ取得手段２３に入力される文字コード情報、２３１はフォントデータ取得手段２３に階調フォントデータを提供する階調フォントデータベース、２３２はフォントデータ取得手段２３から出力され描画手段２０３に入力される階調フォントデータ、２４１は画像プレーン２４を構成するビデオプレーン、２４２は画像プレーン２４を構成するグラフィックプレーンである。
【０００３】
次に動作について説明する。
家庭用テレビのようなインタレース方法の表示装置に文字を表示する場合、文字の色である文字前景色とその背景の色である文字背景色の明るさや色の差異が大きいと、フリッカーと呼ばれる画面のチラツキが発生するため、非常に読みづらくなることはよく知られている。階調フォントは、文字の辺縁をぼかして背景に溶け込ませることで、フリッカーを低減し文字表示を見やすくするための技術である。
【０００４】
図８に８×８ドットの４階調フォントのグリフデータの例（カタカナの「コ」）を示す。グリフデータは各ドット毎の階調値ｉ（４階調フォントではｉ＝０，１，２，３）を定義するものである。図においてｎは最大階調値をｎ（４階調フォントではｎ＝３）とした場合、通常、ｉ＝ｎのドットは文字前景色で表示され、ｉ＝０のドットは文字背景色で表示される。０＜ｉ＜ｎのドットを、文字前景色と文字背景色を混ぜ合わせた中間的な色（文字中間色）で表示することにより、文字辺縁が背景をぼかす効果が得られる。
【０００５】
「色」は、それぞれ赤成分、緑成分、青成分の輝度に対応したＲＧＢ値で表現される。また、テレビにおいてビデオ映像上に文字図形（グラフィックス）を表示する場合には、透明度を示すアルファ値（Ａ）を加えたＡＲＧＢ値で表現される。アルファ値が小さいほど透明に近くなり、Ａ＝０の場合は、奥にあるビデオ映像が完全に透けて見えることになる。以下では、文字前景色をＦｇｆ、文字背景色をＢｇｆと表わし、そのＡＲＧＢ値を次のように表記する。
Ｆｇｆ：(Ｆａ,Ｆｒ,Ｆｇ,Ｆｂ)
Ｂｇｆ：(Ｂａ,Ｂｒ,Ｂｇ,Ｂｂ)
また、階調値ｉに対応する描画色をＤｉと表わし、そのＡＲＧＢ値を次のように表記する。
Ｄｉ：(Ｄａ_ｉ,Ｄｒ_ｉ,Ｄｇ_ｉ,Ｄｂ_ｉ)
【０００６】
従来の文字中間色の計算は、特開２０００−１１５６４１公報に示されているように、次のように行われる。
Ｄｒ_２＝(Ｆｒ×２＋Ｂｒ)／３
Ｄｇ_２＝(Ｆｇ×２＋Ｂｇ)／３
Ｄｂ_２＝(Ｆｂ×２＋Ｂｂ)／３
Ｄｒ_１＝(Ｆｒ＋Ｂｒ×２)／３
Ｄｇ_１＝(Ｆｇ＋Ｂｇ×２)／３
Ｄｂ_１＝(Ｆｂ＋Ｂｂ×２)／３
つまり従来の文字中間色の計算は、文字前景色や文字背景色に対応する描画色Ｄ０、Ｄ３を含めて（式１）で示すことができる。
Ｄｘ_ｉ＝（Ｆｘ−Ｂｘ)×(ｉ／ｎ)＋Ｂｘ
［ｘ＝ｒ，ｇ，ｂ］                                ………(式１)
階調値の大きさと前景・背景の関係は特開２０００−１１５６４１公報に開示された発明と逆であるが、ここでは上記のとおり階調値が大きいほど前景色に近いものとして説明する。
【０００７】
図７において、テレビ放送波等から受信・抽出されたビデオ入力は、ビデオ復号手段２５で復号されビデオプレーン２４１に表示される。グラフィックアプリケーション２１は、文字を使った画面を表示する場合に、システムプログラムに対して、文字前景色情報（Ｆｇｆ）２２１、文字背景色情報（Ｂｇｆ）２２２、文字コード情報２２３を指示する。文字コード情報２２３には、文字フォント種別、文字サイズ、「あ」「い」といった文字を識別する文字コードが含まれる。また図示しないが、文字を描画する位置情報も指示する。フォントデータ取得手段２３は、文字コード情報２２３を入力として、階調フォントデータベース２３１から該当する階調フォントデータ２３２、例えば図８に示したようなグリフデータを取得する。
【０００８】
階調フォント描画部２０の文字中間色計算手段２０１は、文字前景色情報（Ｆｇｆ）２２１と文字背景色情報（Ｂｇｆ）２２２を入力として、上記（式１）により文字中間色を計算し、描画色情報（Ｄｉ）２０２を出力する。描画手段２０３は、描画色情報２０２に従って階調フォントデータ２３２の各ドットに階調値ｉに対応した色付けを行い、グラフィックプレーン２４２上に文字とその背景を描画する。
【０００９】
【発明が解決しようとする課題】
上記従来の階調フォント描画装置による階調フォント描画方法においては、文字背景色が透明、即ちＢa＝０である場合、文字の背景として奥にあるビデオ映像が完全に透けて見えることになる。このビデオ映像は時々刻々画柄の変化する動画であり、ある時は輝度の高い白っぽい映像、またある時は輝度の低い黒っぽい映像である。このため、階調フォントを使用して文字の辺縁を背景に溶け込ませようとしても、背景映像の変化に伴ってチラツキが発生し、かえって読みづらいという課題があった。
【００１０】
この発明は上記のような課題を解決するためになされたもので、背景が動画像であっても視認性の良い階調フォントを実現する階調フォント描画方法及び階調フォント描画装置を得ることを目的とする。
【００１１】
【課題を解決するための手段】
この発明に係る階調フォント描画方法は、文字前景色及び文字背景色の情報又は文字前景色及び仮想背景色の情報を入力情報として、文字背景色の透明度が既定しきい値よりも高い場合は仮想背景色の情報に基づいて描画色の計算を行い、文字背景色の透明度が既定しきい値よりも低い場合は文字背景色の情報に基づいて各階調値に対応した描画色を計算し、計算した描画色によって階調フォントデータを描画するものである。
【００１２】
この発明に係る階調フォント描画装置は、文字前景色及び文字背景色の情報又は文字前景色及び仮想背景色の情報を入力情報として、文字背景色の透明度が既定しきい値よりも高い場合は仮想背景色の情報に基づいて描画色の計算を行い、文字背景色の透明度が既定しきい値よりも低い場合は文字背景色の情報に基づいて各階調値に対応した描画色を計算する文字中間色計算手段と、階調フォントデータを文字中間色計算手段で計算された描画色で描画する描画手段とを備えたものである。
【００１３】
【発明の実施の形態】
実施の形態１．
図１はこの発明の実施の形態１における階調フォント描画装置の構成図を示し、図において、１０は階調フォント描画部、１１は電子番組表や操作メニューのような受信機内蔵のグラフィックアプリケーション、１２はグラフィックアプリケーション１１から入力される入力情報、１３はフォントデータ取得手段、１４は階調フォント描画部１０から出力される複数の画像プレーン（画像面）、１５は入力されるビデオ信号を復号するビデオ復号手段、１０１は階調フォント描画部１０内の文字中間色計算手段、１０２は文字中間色計算手段１０１から出力される描画色情報（Ｄｉ）、１０３は階調フォント描画部１０内の描画手段、１０４は文字中間色計算手段１０１に入力される仮想背景色情報（ＶＢｃ）、１２１は入力情報１２のうち文字中間色計算手段１０１に入力される文字前景色（文字の色）情報（Ｆｇｆ）、１２２は入力情報１２のうち文字中間色計算手段１０１に入力される文字背景色（文字の背景の色）情報（Ｂｇｆ）、１２３は入力情報１２のうちフォントデータ取得手段１３に入力される文字コード情報、１３１はフォントデータ取得手段１３に階調フォントデータを提供する階調フォントデータベース、１３２はフォントデータ取得手段１３から出力され描画手段１０３に入力される階調フォントデータ、１４１は画像プレーン１４を構成するビデオプレーン、１４２は画像プレーン１４を構成するグラフィックプレーンである。
【００１４】
次に動作について説明する。
以下では、仮想背景色情報をＶＢｃと表わし、そのＡＲＧＢ値を次のように表記する。
ＶＢｃ：(ＶＢａ,  ＶＢｒ,  ＶＢｇ,  ＶＢｂ)
文字中間色計算手段１０１は、下記の（式２）に従って描画色情報Ｄｉを計算する。
Ｄｘ_ｉ＝（Ｆｘ−ＶＢｘ)×(ｉ／ｎ)＋ＶＢｘ
[ｘ＝ｒ，ｇ，ｂ]
Ｄａ_ｉ＝Ｆａ
但し、Ｄ０＝Ｂｇｆ                                    ………(式２)
【００１５】
（式２）は、ｉ＝１，２の文字中間色情報Ｄ１、Ｄ２の計算において、文字背景色情報Ｂｇｆの代わりに仮想背景色情報ＶＢｃを適用するものである。また、文字中間色のアルファ値は、ここでは文字前景色情報と同一としている。仮想背景色情報ＶＢｃとしてグレーのような中間的な色を適用することで、背景動画の画柄が変化しても、動画画面の色と仮想背景色の輝度差が一定の範囲に収まるため視認性が向上する。
【００１６】
以上のように、この実施の形態１によれば、背景が動画像であっても視認性の良い階調フォント描画が得られるという効果がある。
【００１７】
実施の形態２．
この発明の実施の形態２における階調フォント描画装置の構成は、図１に示した実施の形態１における構成と同じであるので、説明は省略する。
次に動作について説明する。
図２はこの実施の形態２における階調フォント描画方法のフローチャートの一部である。文字中間色計算手段１０１は、ステップＳＴ２０１において、文字背景色Ｂｇｆのアルファ値Ｂａと所定の透明度しきい値Ｔａを比較する。Ｂａが所定の透明度しきい値Ｔａより小さい場合、即ち一定以上に透明度が高い場合は、ステップＳＴ２０２において、（式２）に従って描画色Ｄｉの計算を行う。Ｂａが所定の透明度しきい値Ｔａ以上の場合、即ち一定以上に透明度が高くない場合は、ステップＳＴ２０３において、（式１）に従って描画色Ｄｉの計算を行う。
【００１８】
文字背景色の透明度が高い場合は、背景動画像がよく透けて見えるため、仮想背景色に基づく文字中間色計算を行った方が視認性の向上になる。逆に、文字背景色の透明度が低い場合は、グラフィックアプリケーションが指定した文字背景色が背景動画像を覆うため、背景動画像の変化はほとんど認識されないので、文字背景色に基づく文字中間色計算を行った方が視認性は向上する。
【００１９】
以上のように、この実施の形態２によれば、文字背景色の透明度に応じて適した文字中間色計算が行われるため総合的に視認性が向上し、背景が動画像であっても視認性の良い階調フォント描画が得られるという効果がある。
【００２０】
実施の形態３．
この発明の実施の形態３における階調フォント描画装置の構成は、図１に示した実施の形態１における構成と同じであるので、説明は省略する。
次に動作について説明する。
図３はこの実施の形態３における階調フォント描画方法のフローチャートの一部である。階調フォント描画部１０の文字中間色計算手段１０１は、グラフィックアプリケーション１１が指定する文字背景色情報と仮想背景色情報から２次仮想背景色情報を求め、この２次仮想背景色情報に基づいて文字中間色計算を行う。
【００２１】
以下では、２次仮想背景色をＳＶＢｃと表わし、そのＡＲＧＢ値を次のように表記する。
ＳＶＢｃ：(ＳＶＢａ，ＳＶＢｒ，ＳＶＢｃ，ＳＶＢｂ)
文字中間色計算手段１０１は、ステップＳＴ２１１において、下記の（式３）に従って２次仮想背景色ＳＶＢｇを計算する。（式３）においてＭＸａはアルファ値の最大値を示し、完全不透明の色を表わす。
ＳＶＢｘ＝Ｂｘ×（Ｂａ／ＭＸａ）＋ＶＢｘ×（１−Ｂａ／ＭＸａ）
[ｘ＝ｒ，ｇ，ｂ]                                  ………(式３)
すなわち、２次仮想背景色情報は、文字背景色情報のアルファ値を係数とした、文字背景色情報と仮想背景色情報の加重平均である。次に、文字中間色計算手段１０１は、ステップＳＴ２１２において、この２次仮想背景色情報に基づいて下記の（式４）に従って描画色Ｄｉを計算する。
Ｄｘ_ｉ＝（Ｆｘ−ＳＶＢｘ)×(ｉ／ｎ)＋ＳＶＢｘ
[ｘ＝ｒ，ｇ，ｂ]
Ｄａ_ｉ＝Ｆａ
但し、Ｄ０＝Ｂｇｆ                                ………(式４)
【００２２】
文字背景色のアルファ値Ｂａが０で完全透明の場合、ＳＶＢｃはＶＢｃと一致するため、（式４）は（式２）と等価である。また、文字背景色のアルファ値ＢａがＭＸａで完全不透明の場合、ＳＶＢｃはＢｇｆと一致するため、（式４）は（式１）と等価である。これら両極端のケースにおいては、この実施の形態３は実施の形態２と同じ結果が得られる。文字背景色のアルファ値が０より大きくＭＸａより小さいケースでは、その中間的な効果が得られる。
【００２３】
以上のように、この実施の形態３によれば、文字背景色の透明度に応じてより細かな文字中間色計算が行われるため更に総合的な視認性が向上し、背景が動画像であっても視認性が更に良い階調フォント描画が得られるという効果がある。
【００２４】
実施の形態４．
図４は、この発明の階調フォント描画装置の構成図であり、図において、１０５は文字中間色計算手段１０１に入力される階調効果係数情報である。他の構成については、図１に示した実施の形態１の構成と同じであり、同一の符号で表すとともに、説明は省略する。
【００２５】
次に動作について説明する。
文字中間色計算手段１０１は、下記の（式５）に従って描画色Ｄｉを計算する。（式５）において、ａは階層効果係数情報１０５に格納される拡散化階調効果係数（０.０≦ａ≦１.０）である。
Ｄｘ_ｉ＝（Ｆｘ−ＶＢｘ)×｛ａ×(ｉ／ｎ)＋(１−ａ)｝＋ＶＢｘ
[ｘ＝ｒ，ｇ，ｂ]
Ｄａ_ｉ＝Ｆａ
但し、Ｄ０＝Ｂｇｆ                                  ………(式５)
【００２６】
（式５）において、拡散化階調効果係数ａ＝１.０であれば、（式５）は（式２）と等価である。また、仮に拡散化階調効果係数ａ＝０.０であれば、文字中間色Ｄ１、Ｄ２は文字前景色Ｆｇと同じ色になる。このように、拡散化階調効果係数ａが小さいほど、文字中間色の輝度レベルは文字前景色の方に近づき、階調のつき方が弱められる。
【００２７】
階調フォントは、階調フォント製品そのもののデザイン特性、あるいは文字フォント種別や文字サイズによって、中間階調値（０＜ｉ＜ｎ）に対応するドットの量に多寡がある。このため、使用する階調フォントの特性に合わせて、拡散化階調効果係数ａを増減することでより視認性が向上する。
【００２８】
以上のように、この実施の形態４によれば、使用する階調フォントの特性に合わせて拡散化階調効果係数を増減することにより更に視認性が向上し、背景が動画像であっても視認性が更に良い階調フォント描画が得られるという効果がある。
【００２９】
実施の形態５．
この発明の実施の形態５における階調フォント描画装置の構成は、図４に示した実施の形態４の構成と同じであり、説明は省略する。
次に動作について説明する。
文字中間色計算手段１０１は、下記の（式６）に従って描画色Ｄｉを計算する。（式６）において、ｄは階層効果係数情報１０５に格納される中央化階調効果係数（０.０≦ｄ≦１.０）である。
Ｄｘ_ｉ＝（Ｆｘ−ＶＢｘ)×｛ｄ×(ｉ／ｎ)｝＋ＶＢｘ
[ｘ＝ｒ，ｇ，ｂ]
Ｄａ_ｉ＝Ｆａ
但し、Ｄ０＝Ｂｇｆ                                  ………(式６)
【００３０】
（式６）において、中央化階調効果係数ｄ＝１.０であれば、（式６）は（式２）と等価である。また、仮に中央化階調効果係数ｄ＝０.０であれば、文字中間色Ｄ１、Ｄ２は仮想背景色ＶＢｃと同じ色になる。このように、中央化階調効果係数ｄが小さいほど、文字中間色の輝度レベルは仮想背景色の方に近づき、階調のつき方が弱められる。すなわち、使用する階調フォントの特性に合わせて中央化階調効果係数ｄを増減することで、より視認性が向上する。
【００３１】
以上のように、この実施の形態５によれば、実施の形態４と同様に、使用する階調フォントの特性に合わせて中央化階調効果係数を増減することにより更に視認性が向上し、背景が動画像であっても視認性が更に良い階調フォント描画が得られるという効果がある。
【００３２】
実施の形態６．
この発明の実施の形態６における階調フォント描画装置の構成は、図４に示した実施の形態４の構成と同じであり、説明は省略する。
次に動作について説明する。
図５は、この実施の形態６における階調フォント描画方法のフローチャートの一部である。階調フォント描画部１０の文字中間色計算手段１０１は、描画色のＲＧＢ各色（Ｄｘ_ｉ）を計算する毎に、ステップＳＴ２２１において、文字前景のＲＧＢ値（Ｆｘ）と仮想背景色のＲＧＢ値（ＶＢｘ）を比較する。ＦｘがＶＢｘ以上である場合、即ち文字前景色のＲＧＢ値の方が輝度が高く明るい場合は、ステップＳＴ２２２において（式５）に従って描画色Ｄｉの計算を行う。ＦｘがＶＢｘより小さい場合、即ち文字前景色のＲＧＢ値の方が輝度が低く暗い場合は、ステップＳＴ２２３において（式６）に従って描画色Ｄｉの計算を行う。
【００３３】
人間の視覚特性として、明るい色の輝度レベル差よりも、暗い色の輝度レベル差には鈍感である。上記の描画方法によれば、文字前景色が明るい場合には文字中間色も文字前景色に近づき明るくなり、文字前景色が暗い場合には文字中間色を仮想背景色に近づきやはり明るくなる。この結果、各階調値に対応する描画色の輝度差は、明るい色間ほど小さく、暗い色間ほど大きくなり、人間の視覚特性に合った色付けとなるため、より視認性の高い表示が得られる。
【００３４】
以上のように、この実施の形態６によれば、人間の視覚特性に合った色付けとなるため更に視認性の高い表示が得られ、背景が動画像であっても視認性が更に良い階調フォント描画が得られるという効果がある。
【００３５】
実施の形態７．
図６は、この発明の実施の形態７における階調フォント描画装置の構成図であり、図において、１０６は階調フォント描画部１０の階調効果係数決定手段である。他の構成については、図４に示した実施の形態４の構成と同じであり、同一の符号で表すとともに、説明は省略する。
【００３６】
次に動作について説明する。
階調効果係数決定手段１０６は、グラフィックアプリケーション１１から指定される文字コード情報１２３を入力情報として階調効果係数情報１０５の設定を変更する。これにより、文字コード情報１２３に含まれる文字フォント種別（ゴシック、明朝等）や文字サイズによって、最適な拡散化階調効果係数ａ、中央化階調効果係数ｄを決定することにより、より細かい調整が可能となり、総合的な視認性が向上する。
【００３７】
以上のように、この実施の形態７によれば、文字コード情報に含まれる文字フォント種別や文字サイズによって最適な拡散化階調効果係数及び中央化階調効果係数を決定することにより、より細かい調整が可能となり総合的な視認性が向上し、背景が動画像であっても視認性が更に良い階調フォント描画が得られるという効果がある。
【００３８】
【発明の効果】
以上のように、この発明によれば、階調フォント描画方法を、文字前景色及び文字背景色の情報又は文字前景色及び仮想背景色の情報を入力情報として、文字背景色の透明度が既定しきい値よりも高い場合は仮想背景色の情報に基づいて描画色の計算を行い、文字背景色の透明度が既定しきい値よりも低い場合は文字背景色の情報に基づいて各階調値に対応した描画色を計算し、計算した描画色によって階調フォントデータを描画するように構成したので、背景が動画像であっても視認性が良い階調フォント描画が得られるという効果がある。
【００３９】
この発明によれば、階調フォント描画装置を、文字前景色及び文字背景色の情報又は文字前景色及び仮想背景色の情報を入力情報として、文字背景色の透明度が既定しきい値よりも高い場合は仮想背景色の情報に基づいて描画色の計算を行い、文字背景色の透明度が既定しきい値よりも低い場合は文字背景色の情報に基づいて各階調値に対応した描画色を計算する文字中間色計算手段と、階調フォントデータを文字中間色計算手段で計算された描画色で描画する描画手段とを備えたように構成したので、背景が動画像であっても視認性が良い階調フォント描画が得られるという効果がある。
【図面の簡単な説明】
【００４０】
【図１】  この発明の実施の形態１における階調フォント描画装置の構成図である。
【図２】  この発明の実施の形態２における階調フォント描画方法のフローチャートの一部を示す図である。
【図３】  この発明の実施の形態３における階調フォント描画方法のフローチャートの一部を示す図である。
【図４】  この発明の実施の形態４における階調フォント描画装置の構成図である。
【図５】  この発明の実施の形態６における階調フォント描画方法のフローチャートの一部を示す図である。
【図６】  この発明の実施の形態７における階調フォント描画装置の構成図である。
【図７】  従来の階調フォント描画装置の構成図である。
【図８】  従来の階調フォント描画方法における４階調フォントのグリフデータの例を示す図である。
【符号の説明】
【００４１】
１０  階調フォント描画部、１１  グラフィックアプリケーション、１２  グラフィックアプリケーションからの入力情報、１３  フォントデータ取得手段、１４  画像プレーン、１５  ビデオ復号手段、２０  階調フォント描画部、２１  グラフィックアプリケーション、２２  グラフィックアプリケーションからの入力情報、２３  フォントデータ取得手段、２４  画像プレーン、２５  ビデオ復号手段、１０１  文字中間色計算手段、１０２  描画色情報、１０３  描画手段、１０４  仮想背景色情報、１０５  階調効果係数情報、１０６  階調効果係数決定手段、１２１  文字前景色情報、１２２  文字背景色情報、１２３  文字コード情報、１３１  階調フォントデータベース、１３２  階調フォントデータ、１４１  ビデオプレーン、１４２  グラフィックプレーン、２０１  文字中間色計算手段、２０２  描画色情報、２０３  描画手段、２２１  文字前景色情報、２２２  文字背景色情報、２２３  文字コード情報、２３１  階調フォントデータベース、２３２  階調フォントデータ、２４１  ビデオプレーン、２４２  グラフィックプレーン。
【図１】
0004896304.tif 000002
【図２】
0004896304.tif 000003
【図３】
0004896304.tif 000004
【図４】
0004896304.tif 000005
【図５】
0004896304.tif 000006
【図６】
0004896304.tif 000007
【図７】
0004896304.tif 000008
【図８】
0004896304.tif 000009